(57)【特許請求の範囲】
【請求項１】
飲料用容器の胴部を構成する側面に当該飲料用容器の上下方向に沿って形成された略円柱状の凸部と、
当該凸部の形成された面と対向する側面に当該飲料用容器の上下方向に沿って形成され前記凸部と係合可能な凹部と、
当該凹部の内面の前記飲料用容器の高さ寸法の１／２に相当する位置に設けられた突起状もしくは平面状の仕切り板と、
を有し、
前記凸部と凹部とを係合することで複数の飲料用容器を高さ寸法の１／２ずらして平面状もしくは連結方向に所定の角度範囲で屈曲して連結可能とすることを特徴とする飲料用容器。
【請求項２】
凸部の上部に飲み口部を形成したことを特徴とする請求項１記載の飲料用容器。
【請求項３】
請求項１又は請求項２に記載の飲料用容器の凸部を上下方向に複数係合可能な凹状の連結部を対向する両側面に有し、
さらに前記連結部の間に芯材を嵌入可能な芯材孔を設け、
前記連結部と前記飲料用容器の凸部とを係合することで複数の飲料用容器を平面状もしくは連結方向に所定の角度範囲で屈曲して連結可能とすることを特徴とする飲料用容器連結部材。
【請求項４】
請求項１又は請求項２に記載の飲料用容器の凸部、もしくは飲料用容器の胴部を構成し且つ対向する二つの側面に当該飲料用容器の上下方向に沿って形成された凸部、を上下方向に複数係合可能な凹状の連結部を対向する両側面に有し、
さらに前記連結部の間に芯材を嵌入可能な芯材孔を設け、
前記連結部と前記飲料用容器の凸部とを係合することで複数の飲料用容器を平面状もしくは連結方向に所定の角度範囲で屈曲して連結可能とすることを特徴とする飲料用容器連結部材。
【発明の詳細な説明】
【技術分野】
【０００１】
本発明は、互いに連結することで簡易的な構造物を形成可能な飲料用容器及び飲料用容器連結部材に関するものである。
【背景技術】
【０００２】
現在、店舗や自動販売機等で市販されている飲料物の飲料用容器としては、スチール缶、アルミ缶、ペット（ＰＥＴ：ポリエチレンテレフタレート）ボトル等が多く用いられている。特に、ガラス容器のように破損することがなく軽量なペットボトルは、飲料水や清涼飲料の飲料用容器の主流となっている。これらペットボトルは容器包装リサイクル法により回収及びリサイクルが行われ、フレーク状やペレット状に再加工された上で資源化されている。しかしながら、ペットボトルをフレーク状やペレット状に再加工するためにはコストとエネルギーとを要するため、ペットボトルを加工せずそのまま再利用（リユース）することがより好ましいといえる。
【０００３】
ここで、下記[特許文献１]にはペットボトルを加工せずそのまま建築用素材として再利用可能なペットボトルに関する考案が開示されている。[特許文献１]に開示された考案のペットボトルには、矩形状のペットボトルの一つの側面に係合用凹凸付形が施された縦突条を形成し、当該側面と対向する面に前記縦突条を嵌着可能な縦凹溝を形成し、さらにペットボトルの底面にはペットボトルの頂部盛部及び口栓部とを嵌着可能な内リブ凹部が形成されている。そして、複数のペットボトルを平面状に配列したときに、横方向に隣接するペットボトルの縦突条と縦凹溝とをそれぞれ嵌着し、縦方向に隣接するペットボトルの頂部盛部及び口栓部と内リブ凹部とをそれぞれ嵌着することで、建築用素材として転用可能な平面パネルを形成可能としている。
【０００４】
【特許文献１】実用新案登録第３０３９３６８号公報
【発明の開示】
【発明が解決しようとする課題】
【０００５】
しかしながら、[特許文献１]に開示された考案のペットボトルは、平面状にしか連結ができず、その使用方法は極めて限定的であるという問題点がある。
【０００６】
また、飲料水及び生活用水の確保は、非常時や災害時において最重要項目の一つではあるが、一般家庭や一般企業、非常時の避難場所となる学校、公民館等における非常用飲料水、非常用生活用水の備蓄は未だ浸透していないのが現状である。非常用飲料水、非常用生活用水の備蓄が浸透しない大きな理由の一つとして、非常用飲料水、非常用生活用水の備蓄に大きな保管スペースを要することが挙げられる。
【０００７】
本発明は、上記事情に鑑みてなされたものであり、複数の飲料用容器を平面状もしくは連結方向に所定の角度範囲で屈曲して連結可能な汎用性の高い飲料用容器及び飲料用容器連結部材を提供することを目的とする。
【課題を解決するための手段】
【０００８】
本発明は、
（１）飲料用容器の胴部を構成する側面に当該飲料用容器の上下方向に沿って形成された略円柱状の凸部２０と、
当該凸部２０の形成された面と対向する側面に当該飲料用容器の上下方向に沿って形成され前記凸部２０と係合可能な凹部２２と、
当該凹部２２の内面の前記飲料用容器の高さ寸法の１／２に相当する位置に設けられた突起状もしくは平面状の仕切り板と、を有し、
前記凸部２０と凹部２２とを係合することで複数の飲料用容器を高さ寸法の１／２ずらして平面状もしくは連結方向に所定の角度範囲で屈曲して連結可能とすることを特徴とする飲料用容器３０ａ、３０ｂを提供することにより、上記課題を解決する。
（２）凸部２０の上部に飲み口部１０を形成したことを特徴とする上記（１）記載の飲料用容器３０ｂを提供することにより、上記課題を解決する。
（３）上記（１）又は（２）に記載の飲料用容器３０ａ、３０ｂの凸部２０を上下方向に複数係合可能な凹状の連結部２６を対向する両側面に有し、
さらに前記連結部２６の間に芯材７を嵌入可能な芯材孔１６を設け、
前記連結部２６と前記飲料用容器３０ａ、３０ｂの凸部２０とを係合することで複数の飲料用容器３０ａ、３０ｂを平面状もしくは連結方向に所定の角度範囲で屈曲して連結可能とすることを特徴とする飲料用容器連結部材５０を提供することにより、上記課題を解決する。
（４）上記（１）又は（２）に記載の飲料用容器３０ａ、３０ｂの凸部２０、もしくは飲料用容器４０ａ、４０ｂの胴部を構成し且つ対向する二つの側面に当該飲料用容器４０ａ、４０ｂの上下方向に沿って形成された凸部２０、を上下方向に複数係合可能な凹状の連結部２６を対向する両側面に有し、
さらに前記連結部２６の間に芯材７を嵌入可能な芯材孔１６を設け、
前記連結部２６と前記飲料用容器３０ａ、３０ｂ、４０ａ、４０ｂの凸部２０とを係合することで複数の飲料用容器３０ａ、３０ｂ、４０ａ、４０ｂを平面状もしくは連結方向に所定の角度範囲で屈曲して連結可能とすることを特徴とする飲料用容器連結部材５０を提供することにより、上記課題を解決する。
【発明の効果】
【０００９】
本発明に係る飲料用容器及び飲料用容器連結部材は、上記の構成により、
（１）複数の飲料用容器を平面状もしくは連結方向に所定の角度範囲で屈曲して連結することができるため、様々な形状の飲料用容器構造物を形成することができる。
（２）飲料用容器構造物を構成する飲料用容器に飲料水や生活用水等を貯水することができるため、保管スペースを要することなく非常用飲料水、非常用生活用水の備蓄を行うことができる。
【発明を実施するための最良の形態】
【００１０】
本発明に係る飲料用容器及び飲料用容器連結部材の実施の形態について図面に基づいて説明する。図１は、本発明に係る第１及び第２の形態の飲料用容器を示す平面図及び正面図である。図２は、本発明に係る第１及び第２の形態の飲料用容器の連結状態を示す図である。図３は、本発明に係る飲料用容器連結部材に好適な飲料用容器を示す平面図及び正面図である。図４は、本発明に係る飲料用容器連結部材の一実施の形態を示す平面図及び正面図である。図５は、本発明に係る飲料用容器及び飲料用容器連結部材の連結状態を示す図である。図６、図７は、本発明に係る飲料用容器及び飲料用容器連結部材の使用例を示す図である。
【００１１】
図１に本発明に係る飲料用容器の第１の形態及び第２の形態を示す。図１（ａ）に示す本発明に係る第１の形態の飲料用容器３０ａは、飲料用容器３０ａの胴部を構成する一つの側面に飲料用容器３０ａの上下方向に沿って形成された略円柱状の凸部２０と、凸部２０が形成された面と対向する側面に形成された凹部２２と、を有している。また、飲料用容器３０ａの上部の所定の位置には、飲料用容器３０ａ内の飲料物を注ぐための飲み口部１０が形成され、飲み口部１０には飲み口部１０を閉栓するためのキャップ１２が取り付け可能となっている。さらに、飲料用容器３０ａの底部には、飲料用容器３０ａを縦方向に積み上げたときに、閉栓した状態の飲み口部１０とキャップ１２とが収まるような寸法の収容部２４が形成されている。
【００１２】
また、図１（ｂ）に示す本発明に係る第２の形態の飲料用容器３０ｂは、飲料用容器３０ａと同様に飲料用容器３０ｂの胴部に凸部２０と凹部２２とを有しており、その凸部２０の上部に飲み口部１０が形成されている。そして、飲料用容器３０ｂの飲み口部１０は、飲み口部１０をキャップ１２で閉栓した状態においてキャップ１２の上面位置が飲料用容器３０ｂの上面位置を越えないようにして形成されている。この第２の形態の飲料用容器３０ｂは凸部２０の上部に飲み口部１０が形成されるため、第１の形態の飲料用容器３０ａと比較して飲料用容器３０ｂ内の飲料物を余さずに飲むことが容易となる。
【００１３】
飲料用容器３０ａ、３０ｂはＰＥＴ等の合成樹脂で一体的に形成され、凸部２０は飲料用容器３０ａ、３０ｂの本体部Ａと括れ部１４を介して繋がっており、飲料物は飲料用容器３０ａの本体部Ａと凸部２０との内部を自由に行き来することができる。尚、凹部２２を構成する両突起部分を空洞として飲料物を充填可能としても良いし、飲料用容器３０ａ、３０ｂを連結する際の強度保持等のため空洞としなくとも良い。
【００１４】
括れ部１４の本体部Ａ側は、所定の寸法の面取りもしくはアール付けを施し、また、凹部２２は凸部２０における括れ部１４側の一部を除いて係合可能とするように形成することで、図２（ａ）に示すように、一方の飲料用容器３０ａ、３０ｂの凹部２２にもう一方の飲料用容器３０ａ、３０ｂの凸部２０を係合して連結したときに、その係合部がヒンジと同様の機能を有し連結方向に対し所定の角度範囲で屈曲を可能とする。尚、図２では、飲料用容器３０ａを用いた例を示している。
【００１５】
このとき、図２（ｂ）に示すように、凹部２２と凸部２０との係合を飲料用容器３０ａ、３０ｂの高さ寸法の１／２程度、縦方向へずらして行うことで、飲料用容器３０ａ、３０ｂを縦方向にも連結する。この際、飲料用容器３０ａにおいては、飲料用容器３０ａの飲み口部１０及びキャップ１２を、上方向に位置する飲料用容器３０ａの収容部２４に収容することで、隙間なく飲料用容器３０ａを連結することができる。これにより、飲料用容器３０ａ、３０ｂを所定の数連結した飲料用容器構造物６０が形成される。尚、凹部２２の内面の飲料用容器３０ａ、３０ｂの高さ寸法の１／２に相当する位置には突起状もしくは平面状の仕切り板が設けられており、この仕切り板により、凹部２２に凸部２０を高さ寸法の１／２ずらして容易に係合することができる。また、係合した凸部２０の縦方向へのずれを防止することができる。
【００１６】
尚、飲料用容器３０ａ、３０ｂを連結して形成される飲料用容器構造物６０は、飲料用容器３０ａ、３０ｂを縦方向へ１／２ずらして係合していることから、縦方向の辺縁部分が凹凸状となり一つおきに隙間が存在することとなる。この隙間により外観上もしくは機能上問題が生じる場合には、この隙間に飲料用容器３０ａ、３０ｂを半分に切断したものや所定の形状のスペーサを設置すればよい。
【００１７】
次に、図３に本発明に係る飲料用容器連結部材に好適な飲料用容器４０ａ、４０ｂを示す。図３（ａ）に示す飲料用容器４０ａは、飲料用容器４０ａの胴部を構成し且つ対向する二つの側面に、飲料用容器３０ａと同様の略円柱状の凸部２０が形成されている。また、図３（ｂ）に示す飲料用容器４０ｂは、飲料用容器４０ｂの胴部に形成された二つの凸部２０の内の一方の上部に飲み口部１０が形成されている。尚、飲料用容器４０ｂの飲み口部１０は、飲料用容器３０ｂと同様に、飲み口部１０をキャップ１２で閉栓した状態においてキャップ１２の上面位置が飲料用容器４０ｂの上面位置を越えないようにして形成することが好ましい。飲料用容器４０ｂは飲み口部１０を凸部２０の上部に形成することにより、飲料用容器３０ｂと同様、飲料用容器４０ａと比較して飲料用容器４０ｂ内の飲料物を余さずに飲むことが容易となる。
【００１８】
次に、上記の飲料用容器３０ａ、３０ｂ、４０ａ、４０ｂを連結するための本発明に係る飲料用容器連結部材５０を図４に示す。本発明に係る飲料用容器連結部材５０は、飲料用容器３０ａ、３０ｂ、４０ａ、４０ｂの凸部２０を係合可能な凹状の連結部２６を両端に有している。飲料用容器連結部材５０の材料としては、合成樹脂製としても金属製としても良いが、軽量でかつある程度の剛性を備えたアルミニウムを用いることが好ましい。
【００１９】
また、飲料用容器連結部材５０の連結部２６を構成する二つの凸状部２６ａ、２６ｂは、一方の凸状部２６ｂを凸状部２６ａよりも短く形成することで、飲料用容器３０ａ、３０ｂ、４０ａ、４０ｂを飲料用容器連結部材５０に対して約４５°までの角度範囲で屈曲して連結することが可能である。これにより、二つの飲料用容器４０ａ、４０ｂもしくは飲料用容器４０ａ、４０ｂと飲料用容器３０ａ、３０ｂとを飲料用容器連結部材５０を介して最大９０°まで屈曲して連結することができる。尚、飲料用容器連結部材５０の２つの連結部２６の間には、飲料用容器連結部材５０を床、天井、壁等に固定するための芯材を嵌入可能な芯材孔１６が設けられている。
【００２０】
図５に、飲料用容器連結部材５０の使用例を示す。尚、図５及び後述する図６、図７においては、飲料用容器３０ａ、３０ｂ、４０ａ、４０ｂの飲み口部１０及びキャップ１２の記載は省略するものとする。飲料用容器連結部材５０の使用方法は、図５に示すように、先ず、飲料用容器連結部材５０を配置した上で、飲料用容器連結部材５０の連結部２６に飲料用容器３０ａ、３０ｂもしくは飲料用容器４０ａ、４０ｂの凸部２０を挿入する。これにより、飲料用容器４０ａ、４０ｂ（もしくは飲料用容器４０ａ、４０ｂと飲料用容器３０ａ、３０ｂと）を飲料用容器連結部材５０を介して連結する。このとき、凸部２０を連結部２６の軸方向に所定の角度だけ回転して挿入することで、前述のように飲料用容器３０ａ、３０ｂ、４０ａ、４０ｂを飲料用容器連結部材５０を介して最大９０°まで屈曲して連結することができる。そして、上記の飲料用容器３０ａ、３０ｂ、４０ａ、４０ｂの連結を所定の本数行うことで、飲料用容器構造物６０が形成される。
【００２１】
尚、飲料用容器連結部材５０の底面には、下部枠体１８ａを図示しない締結部材等を用いて固定しても良い。また、飲料用容器連結部材５０の上面に上部枠体１８ｂを同様に固定しても良い。更に、飲料用容器連結部材５０を芯材孔１６に嵌入された芯材７を介して床１や天井等に固定しても良い。また更に、下部枠体１８ａの幅を比較的広く形成するなどして、下部枠体１８ａを飲料用容器構造物６０の土台部としても良い。
【００２２】
次に、図６、図７に飲料用容器３０ａ、３０ｂ、４０ａ、４０ｂ及び飲料用容器連結部材５０の使用例を示す。図６は、飲料用容器３０ａ、３０ｂ、４０ａ、４０ｂ及び飲料用容器連結部材５０で構成される飲料用容器構造物６０を一般家庭等で使用した例である。先ず、飲料用容器３０ａ、３０ｂを平面状に連結した飲料用容器構造物６０ａを天井裏もしくは屋根、壁面等に設けることで、飲料用容器構造物６０ａが断熱材の機能を果たし、室内の温度保持と冷暖房効率の向上を図ることができる。また、飲料用容器構造物６０ａを床面に敷くことで上記の断熱材としての効果に加え、室内の振動を階下に伝播することを防止する緩衝材としての効果も得ることができる。尚、飲料用容器構造物６０ａを床面に敷いて利用する場合には、飲料用容器構造物６０ａの上面に取り外しが可能なカーペットや床材を敷いても良い。
【００２３】
また、飲料用容器構造物６０ａや飲料用容器３０ａ、３０ｂ、４０ａ、４０ｂを飲料用容器連結部材５０を介して連結した飲料用容器構造物６０ｂを室内の所定の位置に立てて設置することで、飲料用容器構造物６０ａ、６０ｂを間仕切りとして使用することができる。また、平面状に連結した飲料用容器構造物６０ｂをベランダ等の手すり部に固定すれば、防風効果や遮光効果を得ることができる。更に、飲料用容器構造物６０ｂをベランダ等に設置する場合において、飲料用容器構造物６０ｂを構成する飲料用容器連結部材５０を人間が通り抜けることが困難な間隔とすることで、防犯の効果を得ることもできる。尚、飲料用容器構造物６０ａ、６０ｂに用いる飲料用容器３０ａ、３０ｂ、４０ａ、４０ｂを着色したり、飲料用容器構造物６０ａ、６０ｂの所定の面に布や紙、板等を設置することで、目隠しとして使用することもできる。
【００２４】
上記の飲料用容器構造物６０ａ、６０ｂを形成する飲料用容器３０ａ、３０ｂ、４０ａ、４０ｂには飲料水や生活用水を貯水しておくことが可能であり、飲料用容器構造物６０ａ、６０ｂに飲料水や生活用水を貯水することで断熱効果がさらに向上することに加え、非常時には飲料用容器構造物６０ａ、６０ｂを適宜分解し飲料用容器３０ａ、３０ｂ、４０ａ、４０ｂ内に貯水された飲料水や生活用水を随時使用することができる。このように、飲料用容器構造物６０ａ、６０ｂを構成する飲料用容器３０ａ、３０ｂ、４０ａ、４０ｂに飲料水や生活用水を貯水することで、一般家庭や一般企業、学校、公民館等に非常用飲料水、非常用生活用水を備蓄することが可能となる。また、飲料用容器構造物６０ａ、６０ｂは、平常時には断熱材や間仕切り等として使用可能なため、保管スペースを要することもない。
【００２５】
図７は、飲料用容器構造物６０を避難場所等で使用した例である。飲料用容器構造物６０の避難場所等での使用方法としては、例えば飲料用容器構造物６０ｃに示すように、飲料用容器３０ａ、３０ｂを所定の角度で順次連結することでアーチ状とし、これを簡易テントとして使用することができる。また、飲料用容器３０ａ、３０ｂを円柱状に形成したり、飲料用容器４０ａ、４０ｂを飲料用容器連結部材５０を介してコの字状もしくはロの字状に形成し、さらに所定の箇所に出入り口を設けることで、簡易個室として使用可能な飲料用容器構造物６０ｄを形成することができる。これら飲料用容器構造物６０ｃ、６０ｄを用いることにより、避難者のプライベートをある程度確保することが可能となり、避難者のストレスを緩和することができる。
【００２６】
また、避難場所における床面からの冷えは避難者の睡眠を阻害し避難者の健康に悪影響を与えるが、飲料用容器構造物６０ａ、６０ｂを床面に敷くことで、床面からの冷えを断熱することが可能となり、避難者の健康悪化を防止することができる。
【００２７】
上記の飲料用容器構造物６０を構成する飲料用容器３０ａ、３０ｂ、４０ａ、４０ｂにも飲料水や生活用水を貯水することが可能であり、避難者は必要に応じて飲料用容器構造物６０を分解し飲料用容器３０ａ、３０ｂ、４０ａ、４０ｂ内に貯水された飲料水や生活用水を適宜使用することができる。そして、使用後は再度、飲料用容器構造物６０を形成することができる。
【００２８】
尚、飲料用容器構造物６０ａ、６０ｂ、６０ｃ、６０ｄは、図６、図７に示した形状に限定されるものではなく、飲料用容器３０ａ、３０ｂ、４０ａ、４０ｂ及び飲料用容器連結部材５０を適宜組み合わせることで、波状、矩形、円柱状、コの字形状、Ｕ字形状、ノコギリ状、その他、様々な形状の飲料用容器構造物６０を形成することができる。また、飲料用容器３０ａ、３０ｂ、４０ａ、４０ｂの連結方向を複数の方向とすることで、飲料用容器構造物６０を分岐させることも可能である。
【００２９】
尚、飲料用容器３０ａ、３０ｂ、４０ａ、４０ｂの一部もしくは全ての係合部は、ネジやボルト等の締結部材を用いて固定しても良い。特に、飲料用容器構造物６０ｃのように、人の頭上に飲料用容器３０ａ、３０ｂ、４０ａ、４０ｂが位置する場合には、安全面及び強度保持の観点から全ての係合部を固定することが好ましい。ただし、締結部材にて固定した飲料用容器３０ａ、３０ｂ、４０ａ、４０ｂには飲料物等を貯水することはできない。
【００３０】
以上のように、本発明に係る飲料用容器３０ａ、３０ｂ、飲料用容器連結部材５０及び飲料用容器４０ａ、４０ｂによれば、飲料用容器３０ａ、３０ｂ、４０ａ、４０ｂを平面状もしくは連結方向に所定の角度範囲で屈曲して連結することができるため、様々な形状の飲料用容器構造物６０を形成することができる。
【００３１】
また、飲料用容器構造物６０を構成する飲料用容器３０ａ、３０ｂ、４０ａ、４０ｂには飲料水や生活用水等を備蓄することができるため、非常時等には飲料用容器構造物６０を適宜分解することで、飲料用容器３０ａ、３０ｂ、４０ａ、４０ｂに備蓄した飲料水や生活用水等を随時使用することができる。更に、飲料用容器構造物６０は平常時には断熱材や間仕切り等として使用可能なため、保管スペースを要することも無い。
【００３２】
尚、本発明は本発明の要旨を逸脱しない範囲で変更して実施することが可能である。
【図面の簡単な説明】
【００３３】
【図１】本発明に係る第１及び第２の形態の飲料用容器を示す平面図及び正面図である。
【図２】本発明に係る第１及び第２の形態の飲料用容器の連結状態を示す図である。
【図３】本発明に係る飲料用容器連結部材に好適な飲料用容器を示す平面図及び正面図である。
【図４】本発明に係る飲料用容器連結部材の一実施の形態を示す平面図及び正面図である。
【図５】本発明に係る飲料用容器及び飲料用容器連結部材の連結状態を示す図である。
【図６】本発明に係る飲料用容器及び飲料用容器連結部材の使用例を示す図である。
【図７】本発明に係る飲料用容器及び飲料用容器連結部材の使用例を示す図である。
【符号の説明】
【００３４】
７ 芯材
１０      飲み口部
１６ 芯材孔
２０      凸部
２２      凹部
２６      連結部
３０ａ、３０ｂ    飲料用容器
４０ａ、４０ｂ    飲料用容器
５０      飲料用容器連結部材
６０、６０ａ〜６０ｄ    飲料用容器構造物
【要約】
【課題】複数の飲料用容器を平面状もしくは連結方向に所定の角度範囲で屈曲して連結可能な汎用性の高い飲料用容器及び飲料用容器連結部材を提供することを目的とする。
【解決手段】本発明に係る飲料用容器及び飲料用容器連結部材によれば、飲料用容器を平面状もしくは連結方向に所定の角度範囲で屈曲して連結することができるため、様々な形状の飲料用容器構造物６０を形成することができる。また、飲料用容器構造物６０を構成する飲料用容器には飲料水や生活用水等を備蓄することができるため、非常時等には飲料用容器に備蓄した飲料水や生活用水等を随時使用することができる。更に、飲料用容器構造物６０は平常時には断熱材や間仕切り等として使用可能なため、保管スペースを要することも無い。
【選択図】図１【図１】
0004172814.tif 000002
【図２】
0004172814.tif 000003
【図３】
0004172814.tif 000004
【図４】
0004172814.tif 000005
【図５】
0004172814.tif 000006
【図６】
0004172814.tif 000007
【図７】
0004172814.tif 000008